(57)【要約】【課題】一方の配管部材を挟持可能な一対の第１腕部２と、他方の配管部材を挟持可能な一対の第２腕部３と、これら腕部を基端側で連結する基端連結部４と、第１腕部と第２腕部とを先端側で連結する先端連結部５と、第１腕部と第２腕部とを分断するスリット６とを備えるクイックファスナにおいて、スリットに他のクイックファスナの先端連結部が入り込んでクイックファスナ同士が絡まることを防止できるようにする。【解決手段】先端連結部５に、第１と第２の両腕部２，３の外周面に対向するように折返された折返し部５１を設ける。折返し部５１と第１腕部２との間の折返し部５１の法線方向間隔が折返し部５１の先端近傍で腕部幅Ｗより狭くなるようにする。また、第２腕部３のスリット６側の側縁に、配管部材の把持方向と反対方向に突出する突起部７を形成する。【選択図】図３
2020133642.tif 000002
【特許請求の範囲】
【請求項１】
２つの配管部材を連結するクイックファスナであって、一方の配管部材を挟持可能な円弧状に湾曲した一対の第１腕部と、第１腕部に対し配管部材の長手方向たる軸方向に隣接した位置で他方の配管部材を挟持可能な、第１腕部よりも小さな曲率半径で円弧状に湾曲した一対の第２腕部と、両第１腕部及び両第２腕部を基端側で連結する基端連結部と、各第１腕部とこれに隣接する各第２腕部とを先端側で連結する先端連結部と、各第１腕部とこれに隣接する各第２腕部とを分断する、基端連結部と先端連結部との間に形成されたスリットとを備えるものにおいて、
先端連結部に、各第１腕部及び各第２腕部の外周面に対向するように折返された折返し部が設けられ、第１腕部の軸方向幅と第２腕部の軸方向幅とが等しい場合は、第１と第２の両腕部の軸方向幅を腕部幅とし、第１腕部の軸方向幅と第２腕部の軸方向幅とが異なる場合は、第１と第２の両腕部のうちの小さいほうの軸方向幅を腕部幅として、折返し部と第１腕部の外周面との間の折返し部の法線方向間隔が折返し部の先端近傍で腕部幅より狭くなることを特徴とするクイックファスナ。
【請求項２】
２つの配管部材を連結するクイックファスナであって、一方の配管部材を挟持可能な円弧状に湾曲した一対の第１腕部と、第１腕部に対し配管部材の長手方向たる軸方向に隣接した位置で他方の配管部材を挟持可能な、第１腕部よりも小さな曲率半径で円弧状に湾曲した一対の第２腕部と、両第１腕部及び両第２腕部を基端側で連結する基端連結部と、各第１腕部とこれに隣接する各第２腕部とを先端側で連結する先端連結部と、各第１腕部とこれに隣接する各第２腕部とを分断する、基端連結部と先端連結部との間に形成されたスリットとを備えるものにおいて、
各第２腕部のスリット側の側縁に、配管部材の把持方向と反対方向に突出する突起部が形成されることを特徴とするクイックファスナ。
【請求項３】
請求項１記載のクイックファスナであって、各第２腕部のスリット側の側縁に、配管部材の把持方向と反対方向に突出する突起部が形成されることを特徴とするクイックファスナ。
【請求項４】
請求項２又は３記載のクイックファスナであって、突起部は、スリットの軸方向投影像の第１腕部側の外周縁上の２点を結ぶ弦のうち、先端連結部の軸方向幅に等しい長さの全ての弦が軸方向から見て突起部に交差するように形成されることを特徴とするクイックファスナ。
【発明の詳細な説明】
【技術分野】
【０００１】
本発明は、２つの配管部材を連結するクイックファスナに関する。
【背景技術】
【０００２】
従来、この種のクイックファスナとして、一方の配管部材を挟持可能な円弧状に湾曲した一対の第１腕部と、第１腕部に対し配管部材の長手方向たる軸方向に隣接した位置で他方の配管部材を挟持可能な、第１腕部よりも小さな曲率半径で円弧状に湾曲した一対の第２腕部と、両第１腕部及び両第２腕部を基端側で連結する基端連結部と、各第１腕部とこれに隣接する各第２腕部とを先端側で連結する先端連結部と、各第１腕部とこれに隣接する各第２腕部とを分断する、基端連結部と先端連結部との間に形成されたスリットとを備えるものが知られている（例えば、特許文献１参照）。
【０００３】
このものでは、クイックファスナを纏めて搬送保管しているときに、クイックファスナのスリットに他のクイックファスナの先端連結部が入り込んで、クイックファスナ同士が絡まってしまうことがある。
【先行技術文献】
【特許文献】
【０００４】
【特許文献１】特開２０１０−２２３３０１号公報
【発明の概要】
【発明が解決しようとする課題】
【０００５】
本発明は、以上の点に鑑み、クイックファスナ同士が絡まってしまうことを防止できるようにしたクイックファスナを提供することをその課題としている。
【課題を解決するための手段】
【０００６】
上記課題を解決するために、２つの配管部材を連結するクイックファスナであって、一方の配管部材を挟持可能な円弧状に湾曲した一対の第１腕部と、第１腕部に対し配管部材の長手方向たる軸方向に隣接した位置で他方の配管部材を挟持可能な、第１腕部よりも小さな曲率半径で円弧状に湾曲した一対の第２腕部と、両第１腕部及び両第２腕部を基端側で連結する基端連結部と、各第１腕部とこれに隣接する各第２腕部とを先端側で連結する先端連結部と、各第１腕部とこれに隣接する各第２腕部とを分断する、基端連結部と先端連結部との間に形成されたスリットとを備えるものにおいて、本願の第１発明は、先端連結部に、各第１腕部及び各第２腕部の外周面に対向するように折返された折返し部が設けられ、第１腕部の軸方向幅と第２腕部の軸方向幅とが等しい場合は、第１と第２の両腕部の軸方向幅を腕部幅とし、第１腕部の軸方向幅と第２腕部の軸方向幅とが異なる場合は、第１と第２の両腕部のうちの小さいほうの軸方向幅を腕部幅として、折返し部と第１腕部の外周面との間の折返し部の法線方向間隔が折返し部の先端近傍で腕部幅より狭くなることを特徴とし、また、本願の第２発明は、各第２腕部のスリット側の側縁に、配管部材の把持方向と反対方向に突出する突起部が形成されることを特徴とする。
尚、第１発明と第２発明とを組み合わせてもよい。
【０００７】
ここで、クイックファスナのスリットは、第１と第２の両腕部の曲率半径方向に開口すると共に、軸方向にも開口している。そのため、クイックファスナのスリットに他のクイックファスナの先端連結部が入り込む方向は、第１と第２の両腕部の曲率半径方向と軸方向になる。そして、第１発明の如く先端連結部に折返し部を設ければ、クイックファスナのスリットに第１と第２の両腕部の曲率半径方向から他のクイックファスナの先端連結部が入り込むためには、クイックファスナの第１と第２の何れかの腕部が当該腕部の曲率半径方向から他のクイックファスナの折返し部と第１腕部の外周面との間の隙間に挿入される必要がある。第１発明によれば、折返し部と第１腕部の外周面との間の折返し部の法線方向間隔が折返し部の先端近傍で腕部幅より狭くなるため、クイックファスナの第１と第２の何れの腕部も当該腕部の曲率半径方向から他のクイックファスナの折返し部と第１腕部の外周面との間の隙間に挿入不能となる。そのため、クイックファスナのスリットに他のクイックファスナの先端連結部が第１と第２の両腕部の曲率半径方向から入り込むことはなく、この入り込みに起因してクイックファスナ同士が絡まることを防止できる。
【０００８】
また、第２発明によれば、クイックファスナのスリットに軸方向から他のクイックファスナの先端連結部が入り込もうとしたときに、第２腕部のスリット側の側縁に形成した突起部に他のクイックファスナの先端連結部先端が当たるようになる。従って、クイックファスナのスリットに軸方向から他のクイックファスナの先端連結部が入り込むことを、突起部が障害物となって有効に防止できる。特に、突起部を、スリットの軸方向投影像の第１腕部側の外周縁上の２点を結ぶ弦のうち、先端連結部の軸方向幅に等しい長さの全ての弦が軸方向から見て突起部に交差するように形成すれば、クイックファスナのスリットに軸方向から他のクイックファスナの先端連結部が入り込むことはなく、この入り込みに起因してクイックファスナ同士が絡まることを防止できる。
【図面の簡単な説明】
【０００９】
【図１】本発明の実施形態のクイックファスナと２つの配管部材との分離状態の斜視図。
【図２】実施形態のクイックファスナにより連結された２つの配管部材の接続部分の切断平面図。
【図３】（ａ）実施形態のクイックファスナの側面図、（ｂ）図３（ａ）の左方から見たクイックファスナの正面図。
【図４】（ａ）（ｂ）実施形態のクイックファスナ同士の接近形態を示す斜視図。
【発明を実施するための形態】
【００１０】
図１、図２を参照して、図中１００，２００は、本発明の実施形態のクイックファスナ１で連結される２つの配管部材である。一方の第１配管部材１００は、端部に雌型継手部１０１を有し、他方の第２配管部材２００は、端部に、雌型継手部１０１に内嵌する雄型継手部２０１を有している。また、雌型継手部１０１の先端外周には、大径のフランジ部１０２が形成され、雄型継手部２０１の外周面には、Ｏリング２０２が装着されている。更に、雄型継手部２０１は、第２配管部材２００の他の部分より大径で、雄型継手部２０１の基端に径方向段差２０１ａが存在する。
【００１１】
図３も参照して、クイックファスナ１は、第１配管部材１００を雌型継手部１０１において挟持可能な円弧状に湾曲した一対の第１腕部２，２と、第１腕部２，２に対し第１と第２の両配管部材１００，２００の長手方向たる軸方向に隣接した位置で第２配管部材２００を挟持可能な、第１腕部２，２よりも小さな曲率径で円弧状に湾曲した一対の第２腕部３，３と、両第１腕部２，２及び両第３腕部３，３を基端側で連結する基端連結部４と、各第１腕部２とこれに隣接する各第２腕部３とを先端側で連結する先端連結部５と、各第１腕部２とこれに隣接する各第２腕部３とを分断する、基端連結部４と先端連結部５との間に形成されたスリット６とを備えている。第１と第２の各腕部２，３の先端連結部５寄りの部分は、配管部材１００，２００の挟持方向と反対方向に湾曲している。
【００１２】
配管作業に際しては、雌型継手部１０１に雄型継手部２０１を内嵌させた状態で、クイックファスナ１を先端連結部５，５側から第１と第２の両配管部材１００，２００の接続部に押し当て、第１腕部２，２及び第２腕部３，３を押し開いて、雌型継手部１０１を第１腕部２，２で挟持すると共に雄型継手部２０１に隣接する第２配管部材２００の部分を第２腕部３，３で挟持するように、第１と第２の両配管部材１００，２００の接続部にクイックファスナ１を装着する。この状態では、スリット６に第１配管部材１００のフランジ部１０２が挿入されると共に、第２腕部３のスリット６側の側縁が雄型継手部２０１の基端の径方向段差２０１ａに係合し、雌型継手部１０１に雄型継手部２０１が内嵌した状態で第１と第２の両配管部材１００，２００が連結される。
【００１３】
ここで、クイックファスナ１のスリット６は、第１と第２の両腕部２，３の曲率半径方向に開口すると共に、軸方向にも開口している。そのため、クイックファスナ１のスリット６に、図４（ａ）に示す如く第１と第２の両腕部２，３の曲率半径方向から、或いは、図４（ｂ）に示す如く軸方向から、他のクイックファスナ１´の先端連結部５が入り込む可能性がある。そして、クイックファスナ１のスリット６に他のクイックファスナ１´の先端連結部５が入り込むと、クイックファスナ１，１´同士が絡まってしまうことがある。
【００１４】
そこで、本実施形態では、クイックファスナ１，１´同士が絡まることを防止するために、以下の如く構成している。即ち、本実施形態では、先端連結部５に、各第１腕部２及び各第２腕部３の外周面に対向するように折返された折返し部５１を設けている。また、本実施形態では、第１腕部２の軸方向幅と第２腕部３の軸方向幅とが等しいため、第１と第２の両腕部２，３の軸方向幅を腕部幅Ｗとして、折返し部５１と第１腕部２の外周面との間の折返し部５１の法線方向間隔が折返し部５１の先端近傍で腕部幅Ｗより狭くなるようにしている。尚、第１腕部２の軸方向幅と第２腕部３の軸方向幅とが異なる場合は、第１と第２の両腕部２，３のうちの小さいほうの軸方向幅を腕部幅Ｗとして、折返し部５１と第１腕部２の外周面との間の折返し部５１の法線方向間隔が折返し部５１の先端近傍で腕部幅Ｗより狭くなるようにすればよい。
【００１５】
ここで、クイックファスナ１のスリット６に第１と第２の両腕部２，３の曲率半径方向から他のクイックファスナ１´の先端連結部５が入り込むためには、クイックファスナ１の第１腕部２と第２腕部３との何れかが当該腕部の曲率半径方向から他のクイックファスナ１´の折返し部５１と第１腕部２の外周面との間の隙間に挿入される必要がある。本実施形態によれば、折返し部５１と第１腕部２の外周面との間の折返し部５１の法線方向間隔が折返し部５１の先端近傍で腕部幅Ｗより狭くなるため、クイックファスナ１の第１と第２の何れの腕部２，３も当該腕部の曲率半径方向から他のクイックファスナ１´の折返し部５１と第１腕部２の外周面との間の隙間に挿入不能となる。そのため、クイックファスナ１のスリット６に他のクイックファスナ１´の先端連結部５が第１と第２の腕部２，３の曲率半径方向から入り込むことはなく、この入り込みに起因してクイックファスナ１，１´同士が絡まることを防止できる。
【００１６】
また、本実施形態では、第２腕部３のスリット６側の側縁に、配管部材１００，２００の把持方向と反対方向に突出する突起部７を形成している。これによれば、クイックファスナ１のスリット６に軸方向から他のクイックファスナ１´の先端連結部５が入り込もうとしたときに、突起部７に他のクイックファスナ１´の先端連結部５先端が当たるようになる。従って、クイックファスナ１のスリット６に軸方向から他のクイックファスナ１´の先端連結部５が入り込むことを、突起部７が障害物となって有効に防止できる。
【００１７】
更に、本実施形態では、図３（ｂ）に明示する如く、突起部７を、スリット６の軸方向投影像の第１腕部２側の外周縁上の２点を結ぶ弦のうち、先端連結部５の軸方向幅Ｗ５に等しい長さの全ての弦Ｌが軸方向から見て突起部７に交差するように形成している。これによれば、クイックファスナ１のスリット６に軸方向から他のクイックファスナ１´の先端連結部５が入り込むことを確実に防止できる。従って、クイックファスナ１のスリット６に軸方向から他のクイックファスナ１´の先端連結部５が入り込むことに起因してクイックファスナ１，１´同士が絡まることも確実に防止できる。
【００１８】
以上、本発明の実施形態について図面を参照して説明したが、本発明はこれに限定されるものではなく、本発明の趣旨を逸脱しない範囲で種々変更して実施することができる。
【符号の説明】
【００１９】
１…クイックファスナ、２…第１腕部、３…第２腕部、４…基端連結部、５…先端連結部、５１…折返し部、６…スリット、Ｗ…腕部幅、Ｗ５…先端連結部の軸方向幅、Ｌ…弦、１００…第１配管部材（一方の配管部材）、２００…第２配管部材（他方の配管部材）。
【図１】
2020133642.tif 000003
【図２】
2020133642.tif 000004
【図３】
2020133642.tif 000005
【図４】
2020133642.tif 000006